(57)【特許請求の範囲】
【請求項１】
グループに属するメンバー向けに自装置ユーザの状況を送信する通信端末装置であって、
ユーザにより設定された場所の広さに応じて抽象化の程度が段階的に決まる抽象化ラベルを用いて、自装置の詳細な位置情報を場所情報の一つに抽象化する抽象化部と、
前記自装置の場所情報を含む状況情報を管理サーバに送信する情報送信部と、
表示要求に基づき、前記管理サーバから各場所情報ならびに前記自装置ユーザと同一のグループに属するメンバーの特定情報および前記メンバーの特定情報に対応付けられた場所情報を含む状況情報を受信する情報受信部と、
前記受信された状況情報に基づき、前記抽象化ラベルのうち前記場所情報を示すアイコンを前記場所情報の表示位置に表示するとともに、前記抽象化ラベルのうち前記メンバーを示すアイコンを前記メンバーの特定情報に対応付けられた場所情報の表示位置に表示する表示部と、を備え、
前記場所情報を示す抽象化ラベルは、１つの場所情報を示す抽象化ラベルに対し少なくとも自装置ユーザによって設定された場所または前記各メンバーによって設定された場所が関連付けられていることを特徴とする通信端末装置。
【請求項２】
前記詳細な位置情報を自動的に取得する位置情報取得部を更に備えることを特徴とする請求項１記載の通信端末装置。
【請求項３】
前記抽象化部は、前記自装置の場所情報を自装置ユーザにより指定された場所に変更することを特徴とする請求項１または請求項２記載の通信端末装置。
【請求項４】
ユーザの操作を受け付ける操作受付部と、
前記受け付けられた操作により地図上の領域が指定された場合には、前記指定された領域の情報と場所情報との対応関係を記憶する記憶部と、を更に備え、
前記抽象化部は、前記記憶された対応関係に基づいて、前記設定された自装置の位置情報を場所情報に抽象化することを特徴とする請求項３記載の通信端末装置。
【請求項５】
前記抽象化部は、前記自装置の詳細な位置情報が、前記場所情報との対応関係を有する領域のいずれかの範囲に含まれるか否かを判定し、前記範囲内に含まれる場合には、前記自装置の位置情報が含まれる領域に対応する場所情報を出力することを特徴とする請求項４記載の通信端末装置。
【請求項６】
前記状況情報には、ユーザの移動状況または連絡可否の情報が含まれることを特徴とする請求項１から請求項５のいずれかに記載の通信端末装置。
【請求項７】
グループに属するメンバーの状況を共有するシステムであって、
請求項１から請求項６のいずれかに記載の通信端末装置と、
各グループに対して前記場所情報を含む状況情報をグループに属するユーザごとに管理する管理サーバと、を備えることを特徴とするシステム。
【請求項８】
通信端末装置を用いてグループに属するメンバー向けに自装置ユーザの状況を送信する方法であって、
ユーザにより設定された場所の広さに応じて抽象化の程度が段階的に決まる抽象化ラベルを用いて、自装置の詳細な位置情報を場所情報の一つに抽象化するステップと、
前記自装置の場所情報を含む状況情報を管理サーバに送信するステップと、
表示要求に基づき、前記管理サーバから各場所情報ならびに前記自装置ユーザと同一のグループに属するメンバーの特定情報および前記メンバーの特定情報に対応付けられた場所情報を含む状況情報を受信するステップと、
前記受信された状況情報に基づき、前記抽象化ラベルのうち前記場所情報を示すアイコンを前記場所情報の表示位置に表示するとともに、前記抽象化ラベルのうち前記メンバーを示すアイコンを前記メンバーの特定情報に対応付けられた場所情報の表示位置に表示するステップと、を含み、
前記場所情報を示す抽象化ラベルは、１つの場所情報を示す抽象化ラベルに対し少なくとも自装置ユーザによって設定された場所または前記各メンバーによって設定された場所が関連付けられていることを特徴とする方法。
【請求項９】
グループに属するメンバー向けに自装置ユーザの状況を送信する通信端末装置のプログラムであって、
ユーザにより設定された場所の広さに応じて抽象化の程度が段階的に決まる抽象化ラベルを用いて、自装置の詳細な位置情報を場所情報の一つに抽象化する処理と、
前記自装置の場所情報を含む状況情報を管理サーバに送信する処理と、
表示要求に基づき、前記管理サーバから各場所情報ならびに前記自装置ユーザと同一のグループに属するメンバーの特定情報および前記メンバーの特定情報に対応付けられた場所情報を含む状況情報を受信する処理と、
前記受信された状況情報に基づき、前記抽象化ラベルのうち前記場所情報を示すアイコンを前記場所情報の表示位置に表示するとともに、前記抽象化ラベルのうち前記メンバーを示すアイコンを前記メンバーの特定情報に対応付けられた場所情報の表示位置に表示する処理と、を含む一連の処理をコンピュータに実行させ、
前記場所情報を示す抽象化ラベルは、１つの場所情報を示す抽象化ラベルに対し少なくとも自装置ユーザによって設定された場所または前記各メンバーによって設定された場所が関連付けられていることを特徴とするプログラム。
【発明の詳細な説明】
【技術分野】
【０００１】
本発明は、グループに属するメンバー向けに自装置ユーザの状況を送信する通信端末装置、システム、方法およびプログラムに関する。
【背景技術】
【０００２】
従来、異なる場所で過ごす家族の構成員間にお互いの状態を知らせることで、コミュニケーションを支援するシステムが知られている。特に、高齢者等の見守られる人の状況を見守る側の人に知らせるものがしばしば提案されている。
【０００３】
例えば、特許文献１には、一人暮らしの高齢者宅に訪問した仲介業者が、健康状態や暮らしの様子を見守る側の人に通知するシステムが記載されている。訪問者が高齢者を実際に見た事柄を知らせるため、高齢者の実際の状況が詳細な情報として伝わり、見守る側の人は、離れていても高齢者の様子を知ることができる。特許文献２には、高齢者が常時使用する杖に使用状況を追跡するためのセンサを内蔵し、その情報から高齢者の様子が正常か異常かを通知するシステムが記載されている。
【０００４】
その他に、非特許文献１、２に示すように、子供が所持する端末に内蔵されたＧＰＳによって位置を追跡して、子供がどこにいるのかを、その親に通知するシステムや、子供が非接触型定期券を使って駅の改札口を通過したことを通知するシステムも知られている。
【０００５】
上記のようなシステムには、相手（見守られる人）の様子や状況として、正常か異常かの２値の状態を通知するものから、位置の詳細、さらには、第３者が介在して直接自宅への訪問で得られた情報を知らせるものまで様々に存在する。
【先行技術文献】
【特許文献】
【０００６】
【特許文献１】特開２００４−２９５２３２号公報
【特許文献２】特開２００６−８５６０９号公報
【特許文献３】特開２０１４−１３０１０２号公報
【非特許文献】
【０００７】
【非特許文献１】″mamorino3（マモリーノスリー）″、ＫＤＤＩ株式会社、［online］、［平成２７年２月１２日検索］、インターネット〈URL：http://www.au.kddi.com/mobile/product/juniorphone/mamorino3/〉
【非特許文献２】″あんしんグーパス″、アイテック阪急阪神株式会社、［online］、［平成２７年２月１２日検索］、インターネット〈URL：http://anshin-gp.jp/index.html〉
【発明の概要】
【発明が解決しようとする課題】
【０００８】
しかし、上記の技術では、見守られる人に関する情報が、見守る人に通知される際、見守られる人に対するプライバシーが考慮されていない。例えば、特許文献１記載のシステムのように、見守られる人の許可を得て自宅に訪問することが前提になっていたり、特許文献２記載のシステムのように、杖に対する操作履歴を共有しても差し支えない人間関係にあることが前提になっていたりするとしても、見守られる人にとって、すべての情報を知られることは抵抗があることもある。
【０００９】
本発明は、このような事情に鑑みてなされたものであり、プライバシーを保護しつつ、グループ内のメンバーにユーザの状況を伝えることができる通信端末装置、システム、方法およびプログラムを提供することを目的とする。
【課題を解決するための手段】
【００１０】
（１）上記の目的を達成するため、本発明の通信端末装置は、グループに属するメンバー向けに自装置ユーザの状況を送信する通信端末装置であって、所定の設定に基づいて、自装置の詳細な位置情報を場所情報の一つに抽象化する抽象化部と、前記自装置の場所情報を含む状況情報を管理サーバに送信する情報送信部と、を備えることを特徴としている。これにより、プライバシーを保護しつつ、グループ内のメンバーにユーザの状況を伝えることができる。
【００１１】
（２）また、本発明の通信端末装置は、前記抽象化部が、所定の設定として、ユーザにより設定された場所の広さに応じて抽象化の程度が段階的に決まる抽象化ラベルを用いることを特徴としている。これにより、ユーザにより決められたどの程度伝えて良いかのプライバシーの程度により抽象化できる。
【００１２】
（３）また、本発明の通信端末装置は、前記詳細な位置情報を自動的に取得する位置情報取得部を更に備えることを特徴としている。これにより、ユーザが位置情報を入力する手間を省ける。
【００１３】
（４）また、本発明の通信端末装置は、前記抽象化部が、前記自装置の場所情報を自装置ユーザにより指定された場所に変更することを特徴としている。これにより、グループ内に伝える内容をユーザにより調整することが可能になる。
【００１４】
（５）また、本発明の通信端末装置は、ユーザの操作を受け付ける操作受付部と、前記受け付けられた操作により地図上の領域が指定された場合には、前記指定された領域の情報と場所情報との対応関係を記憶する記憶部と、を更に備え、前記抽象化部は、前記記憶された対応関係に基づいて、前記取得された自装置の位置情報を場所情報に抽象化することを特徴としている。これにより、簡易な方法で自動的に抽象化される領域を決めることができる。
【００１５】
（６）また、本発明の通信端末装置は、前記抽象化部が、前記自装置の詳細な位置情報が、前記場所情報との対応関係を有する領域のいずれかの範囲に含まれるか否かを判定し、前記範囲内に含まれる場合には、前記自装置の位置情報が含まれる領域に対応する場所情報を出力することを特徴としている。これにより、領域の範囲内に入ったときには抽象化することができる。
【００１６】
（７）また、本発明の通信端末装置は、表示要求に基づき、前記管理サーバから各場所情報ならびに前記自装置ユーザと同一のグループに属するメンバーの特定情報および前記メンバーの特定情報に対応付けられた場所情報を含む状況情報を受信する情報受信部と、前記受信された状況情報に基づき、前記場所情報のアイコンを前記場所情報の表示位置に表示するとともに、前記メンバーのアイコンを前記メンバー特定情報に対応付けられた場所情報の表示位置に表示する表示部と、を更に備えることを特徴としている。これにより、グループ内のメンバーの状況を表示できる。
【００１７】
（８）また、本発明の通信端末装置は、前記状況情報に、ユーザの移動状況または連絡可否の情報が含まれることを特徴としている。これにより、ユーザが留まっているのか歩いているのか等を伝えることができる。
【００１８】
（９）また、本発明のシステムは、グループに属するメンバーの状況を共有するシステムであって、（１）から（８）のいずれかに記載の通信端末装置と、各グループに対して前記場所情報を含む状況情報をグループに属するユーザごとに管理する管理サーバと、を備えることを特徴としている。これにより、グループに対して、プライバシーを守りながら状況を伝えるサービスが可能となる。
【００１９】
（１０）また、本発明の方法は、通信端末装置を用いてグループに属するメンバー向けに自装置ユーザの状況を送信する方法であって、所定の設定に基づいて、自装置の詳細な位置情報を場所情報の一つに抽象化するステップと、前記自装置の場所情報を含む状況情報を管理サーバに送信するステップと、を含むことを特徴としている。これにより、プライバシーを保護しつつ、グループ内のメンバーにユーザの状況を伝えることができる。
【００２０】
（１１）また、本発明のプログラムは、グループに属するメンバー向けに自装置ユーザの状況を送信する通信端末装置のプログラムであって、所定の設定に基づいて、自装置の詳細な位置情報を場所情報の一つに抽象化する処理と、前記自装置の場所情報を含む状況情報を管理サーバに送信する処理と、を含む一連の処理をコンピュータに実行させることを特徴としている。これにより、プライバシーを保護しつつ、グループ内のメンバーにユーザの状況を伝えることができる。
【発明の効果】
【００２１】
本発明によれば、プライバシーを保護しつつ、グループ内のメンバーにユーザの状況を伝えることができる。
【図面の簡単な説明】
【００２２】
【図１】本発明のシステムを示すブロック図である。
【図２】本発明の通信端末装置の使用時の基本動作を示すフローチャートである。
【図３】メンバー状況の画面表示例を示す図である。
【図４】（ａ）（ｂ）（ｃ）それぞれ場所設定時、ユーザの状態設定時、ユーザの状態設定後の画面表示例を示す図である。
【図５】（ａ）（ｂ）それぞれ場所変更の操作時および操作後の画面表示例を示す図である。
【図６】（ａ）（ｂ）それぞれメンバー選択の操作時および操作後の画面表示例を示す図である。
【図７】（ａ）（ｂ）（ｃ）それぞれメニュー選択時、場所アイコンの選択時および選択後の画面表示例を示す図である。
【図８】本発明の通信端末装置の領域設定時の動作を示すフローチャートである。
【図９】領域設定時の画面表示例を示す図である。
【図１０】メンバーと場所アイコンとの対応関係を示す管理用テーブルである。
【図１１】場所アイコンと枠との対応関係を示す管理用テーブルである。
【図１２】本発明の通信端末装置の領域指定時の動作を示すフローチャートである。
【図１３】場所アイコンの周辺領域を示す模式図である。
【発明を実施するための形態】
【００２３】
次に、本発明の実施の形態について、図面を参照しながら説明する。本発明のシステムは、家族など、複数人のグループ内でそれぞれの状況の情報を共有できると同時に、プライバシーの保護も可能にするグラフィカルユーザインタフェースを提供する。ユーザは、アイコンの位置を移動させることで、プライバシーに配慮しつつ居場所の情報を共有でき、アイコンの表現により他の状況の情報も共有できる。具体的には以下に説明する。
【００２４】
［システムの構成］
（システム全体）
図１は、システム１０を示すブロック図である。システム１０は、グループに属するメンバーの状況情報を共有するシステムであり、通信端末装置１００、３００および管理サーバ２００で構成されている。通信端末装置１００は、特定ユーザの装置であり、通信端末装置３００は、特定ユーザと同じグループに属するメンバーの装置を指している。グループは、例えば家族であり、その場合メンバーは家族の構成員である。
【００２５】
通信端末装置１００、３００は、インストールされたソフトウェアにより特徴的な動作を可能にしている。管理サーバ２００は、ネットワーク上に存在し、通信端末装置１００、３００のそれぞれと接続可能であり、管理サーバ２００についても、インストールされたソフトウェアにより特徴的な動作を可能にしている。
【００２６】
（通信端末装置）
通信端末装置１００は、例えばスマートフォンやタブレット端末のような携帯端末であり、グループに属するメンバー向けに自装置ユーザの状況を送信する。図１に示すように、通信端末装置１００は、位置情報取得部１１０、記憶部１２０、抽象化部１３０、情報送信部１４０、操作受付部１５０、表示部１６０および情報受信部１７０で構成されている。
【００２７】
位置情報取得部１１０は、例えば、ＧＰＳ機能であり、詳細な位置情報を自動的に取得する。これにより、ユーザが位置情報を入力する手間を省ける。ユーザの状況を推定する。例えば、ユーザの状況として位置情報を通知する場合、ＧＰＳ機能と連携して自装置の現在位置を自動的に取得することができる。
【００２８】
なお、位置情報取得部１１０の他にも自動的にユーザの状況としてその活動内容を検知するものとして、ユーザが端末を保持している最中の操作ログを取得する操作ログ取得部、またはセンサログを取得するセンサログ取得部を設けてもよい。具体的には、センサログ取得部として加速度センサを設け、ユーザが歩行中か否か等を検知することができる。その際には、例えば、部分的に特許文献３のような既存技術を用いることができる。
【００２９】
手動または自動にて定義された「人アイコン」ごとの活動内容は、グラフィカルユーザインタフェース上に表示される「人アイコン」にリアルタイムに反映する。活動内容に応じて、人アイコンへの表現方法は事前に定義されており、活動内容が変更すると、それに相当する表現に更新する。
【００３０】
通信端末装置１００では、適度なプライバシー保護のための、抽象化ラベル（場所アイコン、人アイコン）を手動または自動で設定できる。自動設定では、場所アイコン、人アイコンのグラフィカルユーザインタフェース上の位置関係を自動的に算出する。このように抽象化ラベルを用いることで、場所アイコン自体は他者と共有しても、場所アイコンに対応する詳細な地図上の領域の情報はメンバー間で共有せずに秘匿することができる。なお、抽象化ラベルの用い方により、段階的に抽象度を設定できる。
【００３１】
記憶部１２０は、受け付けられた操作により地図上の領域が指定された場合には、指定された領域の情報と場所情報との対応関係を記憶する。具体的には、場所アイコンと地図上で指定された１以上の領域とを対応付けた管理テーブルとして記憶することができる。
【００３２】
抽象化部１３０は、所定の設定に基づいて、自装置の詳細な位置情報を場所情報の一つに抽象化する。所定の設定は、手動または自動で異なる。抽象化部１３０は、ユーザの操作に応じて場所情報を設定できる。抽象化部１３０は、記憶された対応関係に基づいて、取得された自装置の位置情報を自動的に場所情報に抽象化してもよい。この場合には、簡易な方法で自動的に抽象化される領域を決めることができる。
【００３３】
抽象化部１３０は、所定の設定として、ユーザにより設定された場所の広さに応じて抽象化の程度が段階的に決まる抽象化ラベルを用いることが好ましい。これにより、ユーザにより決められたどの程度伝えて良いかのプライバシーの程度により抽象化できる。なお、抽象化部１３０は、自動的に、またはユーザの操作に基づき、得られたユーザの状況の抽象化ラベル度を変更する。
【００３４】
抽象化部１３０は、自装置の場所情報を自装置ユーザにより指定された場所に変更することも可能である。これにより、グループ内に伝える内容をユーザにより調整することが可能になる。場所の変更の処理についての詳細は後述する。
【００３５】
抽象化部１３０は、取得された自装置の位置情報が、場所情報との対応関係を有する領域のいずれかの範囲に含まれるか否かを判定し、範囲内に含まれる場合には、自装置の位置情報が含まれる領域に対応する場所情報を出力することが好ましい。これにより、範囲内に入ったときには抽象化することができる。
【００３６】
情報送信部１４０は、管理サーバ２００上のユーザ状況ログＤＢと連動し、自装置の場所情報を含む状況情報を管理サーバ２００に送信する。これにより、プライバシーを保護しつつ、グループ内のメンバーにユーザの状況を伝え、メンバー同士の状況情報を共有することができる。なお、状況情報には、ユーザの移動状況または連絡可否の情報が含まれる。このように移動状況が分かれば、ユーザが留まっているのか歩いているのか等を伝えることができる。
【００３７】
操作受付部１５０は、ユーザの操作を受け付ける。例えば、タッチパネルによりグラフィカルユーザインタフェースを指でタッチする操作を受け付けることとしてもよいし、ボタン操作により操作可能にしてもよい。また、音声入力などを併用してもよい。
【００３８】
表示部１６０は、取得された情報に基づき、場所情報のアイコンを場所情報の表示位置に表示するとともに、メンバーのアイコンをメンバー特定情報に対応付けられた場所情報の表示位置に表示する。これにより、グループ内のメンバーの状況を表示できる。
【００３９】
表示部１６０は、一定の配置で複数の「場所アイコン」を表示する。このとき、場所アイコンは、一画面に収まる広さで、ユーザ自身の設定に従い配置されるのが好ましい。ただし、実際の地図に従った配置をとる設定としてもよい。また、「場所アイコン」および「人アイコン」の利用で、すでにプライバシーの課題を解決できているが、毎回「人アイコン」の位置を手動で設定するのは煩わしく、自動で「人アイコン」の位置を設定することが好ましい。
【００４０】
情報受信部１７０は、表示要求に基づき、管理サーバ２００から各場所情報ならびに自装置ユーザと同一のグループに属するメンバーの特定情報およびメンバーの特定情報に対応付けられた場所情報を含む状況情報を受信する。
【００４１】
（管理サーバ）
管理サーバ２００は、各グループに対して場所情報を含む状況情報をグループに属するユーザごとに管理する。これにより、グループに対して、プライバシーを守りながら状況を伝えるサービスが可能となる。管理サーバ２００は、ユーザ状況ログＤＢを有し、各メンバーの状況情報を蓄積している。
【００４２】
［通信端末装置の動作］
（基本動作）
次に、通信端末装置１００の動作を説明する。図２は、通信端末装置１００の使用時の基本動作の一例を示すフローチャートである。まず、通信端末装置１００において、ユーザ操作を契機として、情報共有のソフトウェアを起動する（ステップＳ１）。続いて、通信端末装置１００は、管理サーバ２００にアクセスし、グループ内の現状の情報を取得し（ステップＳ２）、取得した情報に基づいてグループのメンバーそれぞれの状況を表示する（ステップＳ３）。
【００４３】
通信端末装置１００は、ユーザに自端末のユーザ情報の更新の指示を問合せ、更新の指示の有無を判定する（ステップＳ４）。更新の指示がない場合には、ステップＳ６に進む。更新の指示があった場合には、手動または自動によりユーザの現在の状況情報を取得し、管理サーバ２００にアクセスし自端末のユーザの状況情報を更新する（ステップＳ５）。その際には、所定の設定に基づいて、情報の抽象化を行い、例えば自装置の詳細な位置情報を場所情報の一つに抽象化し、自装置の場所情報を含む状況情報を管理サーバ２００に送信する。
【００４４】
通信端末装置１００は、メニュー選択可能な表示を行い、ユーザによりメニュー選択がなされたか否かを判定する（ステップＳ６）。メニュー選択がなされなかった場合には、ステップＳ８に進む。メニュー選択がなされた場合には、選択されたメニューの処理を行う（ステップＳ７）。続いて、情報共有のソフトウェアについてユーザにより終了操作が行われたか否かを判定し、終了操作が無い場合には、ステップＳ３に戻る。終了操作があった場合には、一連の処理を終了する。
【００４５】
図３は、メンバー状況の画面表示例を示す図である。図３に示す例では、一つの画面で、父親、母親、および子供の３人の状況を一瞥して把握可能にしている。この表示例は、家族の活動範囲を示す「場所アイコン」が配置された地図形式のグラフィカルユーザインタフェースとして処理されており、家族の状態は「人アイコン」の位置とアニメーションで表現される。
【００４６】
（画面表示）
このような表示により、例えば以下の（１）〜（３）の３つの効果が得られる。
（１）家族の各構成員がどこにいるのかが分かる
自分の居場所を家族に通知するとき、手動設定と自動設定を選べる。手動の場合、ユーザが自身の「人アイコン」をＤｒａｇ＆Ｄｒｏｐで動かすことで通知できる。自動の場合、自動取得した位置と、事前設定の抽象化ラベルから、「人アイコン」の位置が自動的に決定されて通知される。なお、表示例では、会社と最寄駅、繁華街と最寄駅の間の移動中のアイコンとして破線が表示されている。
【００４７】
（２）家族の各構成員が活動しているか否かが分かる
過去一定期間で「人アイコン」の位置に変動があれば、「人アイコン」に動きのあるアニメーションが付与される。上下に揺らす、歩行しているように足を動かすなどの表示が可能である。
【００４８】
（３）家族に連絡して良いかどうかが分かる
ユーザが自身に連絡してきてよいかどうかは、自身の「人アイコン」をＴａｐし、メニューから設定可能にする。連絡してきてよい場合、他の家族の構成員の通信端末装置３００に自身の「人アイコン」に電話アイコンが重畳されて表示される。家族の誰かに連絡したいとき、相手の「人アイコン」をＴａｐすることで連絡可能になる。
【００４９】
（場所設定）
図４（ａ）、（ｂ）、（ｃ）は、それぞれ場所設定時、ユーザの状態設定時、ユーザの状態設定後の画面表示例を示す図である。図４（ａ）に示すように、ユーザ自身で居場所を設定することが可能となっている。また、居場所の設定後には、図４（ｂ）に示すように、今のユーザへの連絡可能な手段、今の状態を選択することが可能になっている。例えば、表示例では、電話連絡が可能であることを選択している。選択後は、「Ｓｅｔ」ボタンを押すことで内容が確定される。このような操作の結果として、図４（ｃ）のように情報共有の画面に操作結果が反映されて表示される。
【００５０】
（場所変更操作）
図５（ａ）、（ｂ）は、それぞれ場所変更の操作時および操作後の画面表示例を示す図である。居場所の変更は、ユーザが自身の「人アイコン」をＤｒａｇ＆Ｄｒｏｐで動かす操作により可能となる。
【００５１】
（メンバー表示）
図６（ａ）、（ｂ）は、それぞれメンバー選択の操作時および操作後の画面表示例を示す図である。図６（ａ）は、例えば母親の通信端末装置の画面表示であり、図６（ａ）に示すように父親の「人アイコン」を選択することで、図６（ｂ）に示すように父親の現在の状況の詳細情報と、連絡手段が表示される。この例では、父親が電話連絡できる状態なので、ワンタッチダイヤルが可能に表示される。
【００５２】
（場所アイコンの選択）
図７（ａ）、（ｂ）、（ｃ）は、それぞれメニュー選択時、場所アイコンの選択時および選択後の画面表示例を示す図である。さらに、ユーザの操作によりグラフィカルユーザインタフェースについて以下のカスタマイズが可能となっている。
【００５３】
すなわち、ユーザは、表示されるアイコンとして好きな「場所アイコン」「人アイコン」を選択できる。また、「場所アイコン」には、好きな名前を付与できる。選択した「場所アイコン」は、自装置の表示において好きな場所に配置できる。
【００５４】
（領域設定）
場所アイコン同士の位置関係は、実際の地図における位置関係とは異なっており、抽象化部１３０は、ＧＰＳ機能によって取得できたユーザの位置を画面表示上の位置に変換して、「人アイコン」を配置するのが好ましい。
【００５５】
その場合、操作受付部１５０は、「場所アイコン」が、実際の地図上でどの領域を示すのかを定義する操作を受け付ける。例えば、表示部１６０により、実際の地図を表示し、その地図上にフリーハンドで枠を指定する操作を受け付けることで、「場所アイコン」の領域指定を可能にする。このとき、１つの「場所アイコン」に対して、複数の領域指定を可能にしてもよい。なお、この領域指定は、基本的にメンバーそれぞれが独自に行えるようにすることで、「場所アイコン」自体は家族で共有しつつ、それが地図上でどの領域を示すのかは共有しないのが好ましい。
【００５６】
図８は、通信端末装置１００の領域設定時の動作を示すフローチャートである。まず、通信端末装置１００は、場所アイコン選択肢を表示し（ステップＴ１）、選択を受け付ける（ステップＴ２）。次に、地図を表示し（ステップＴ３）、ユーザによる領域指定の記録を開始し（ステップＴ４）、枠の入力を受け付ける（ステップＴ５）。
【００５７】
そして、領域の追加の有無をユーザに問合せ、その結果として領域の追加があるか否かを判定し（ステップＴ６）、領域の追加がある場合には、ステップＴ３に戻る。領域の追加が無い場合には、選択された場所アイコンと指定された領域との対応付けを行い（ステップＴ７）、対応関係を記憶し、処理を終了する。なお、場所アイコンごとに少なくとも１以上の枠で定義された領域の和を、その場所アイコンの指定領域として定義する。
【００５８】
図９は、領域設定時の画面表示例を示す図である。図９に示す例では、場所アイコンとして公園が選択されたときの領域指定の場面が表されている。そして、図９に示す例では、地図上で公園の領域として領域Ｒが指定されている。
【００５９】
図１０は、メンバーと場所アイコンとの対応関係を示す管理用テーブルである。管理サーバ２００は、このような管理用テーブルを保存している。管理サーバ２００は、さらに情報共有部を備え、上記の管理用テーブルを用いつつ情報共有しているグループのメンバーが指定した場所アイコンの領域情報を管理する。管理サーバ２００は、メンバーごとに設定している（メンバー間で共有している）場所アイコンと、抽象化設定の有無も管理する。通信端末装置１００のそれぞれにおいて、デフォルトは、抽象化ありで設定されている。通信端末装置１００が場所アイコンの領域を指定する際、自装置のユーザが抽象化の有無を変更できるように設計されている。
【００６０】
図１１は、場所アイコンと枠との対応関係を示す管理用テーブルである。それぞれの通信端末装置１００、３００は、自装置における場所アイコンと枠との対応関係を図１１に示すような管理テーブルで管理している。管理テーブルでは、利用している場所アイコンに対応付けて、実際の地図上で、フリーハンドで指定した枠に関する情報が管理されている。そして、管理サーバ２００は、メンバーごとの管理テーブルを有し、メンバー間の表示の調整を行ってもよいが、管理テーブルを保有しないこととしてもよい。枠に関する情報（Area_P001_1、…）に関するデータの定義は、以下の（１）〜（３）に示すような複数のパターンがありうるが、それ以外であってもよい。
【００６１】
（１）枠を、円形に近似する。例えば、正円に近似した場合、中心の緯度経度情報、および、半径の情報を設定する。
（２）枠を、多角形に近似する。例えば、８角形に近似した場合、各頂点の緯度経度情報を設定する。
（３）地図を格子状に分割した上で、枠内に囲まれた格子に近似する。各格子にはＩＤが付与され、該当する格子のＩＤ情報を設定する。
【００６２】
（領域指定）
図１２は、通信端末装置１００の領域指定時の動作を示すフローチャートである。まず、通信端末装置１００は、ＧＰＳ機能により現在位置を取得する（ステップＰ１）。そして、現在位置が入っている枠指定された領域があるか否かを判定する（ステップＰ２）。枠指定された領域が無いと判定されたときには、前回のＧＰＳ情報の取得の際に該当する枠指定領域があるか否かを判定し（ステップＰ３）、枠指定領域がある場合には、ステップＰ８に進む。枠指定領域が無い場合には、いずれの場所アイコンの周辺にも入らない位置に人アイコンを表示し（ステップＰ４）、ステップＰ８に進む。
【００６３】
一方、ステップＰ２で現在位置が入っている枠指定領域があった場合には、該当する枠指定領域を特定し（ステップＰ５）、該当する場所アイコンを特定するとともに（ステップＰ６）、該当する場所アイコンの周辺に人アイコンを表示する（ステップＰ７）。そして、ＧＰＳ情報の取得を中止する指示があるか否かを判定する（ステップＰ８）。ＧＰＳ情報の取得を中止する指示が無かったときには、ステップＰ１に戻る。ＧＰＳ情報の取得を中止する指示があったときには処理を終了する。
【００６４】
（自動指定）
ここで、枠領域の指定のために、通信端末装置１００は、グラフィカルユーザインタフェース（画面表示）上で手作業で行う機能に加え、自動的に行う機能も備える。自動の場合には、ＧＰＳ機能によって取得できたユーザの位置の履歴情報に基づき、場所アイコンと、地図上の位置とを対応付ける。その場合の一例として以下の（１）〜（７）の手順を行うことができる。
【００６５】
（１）ユーザが１つの場所アイコンを選択する。
（２）選択された場所アイコンに対応する領域を手動で指定する。
（３）加えて、その後の領域修正を自動設定にする。
（４）ＧＰＳ機能によって取得できたユーザの位置が当該領域を通過するある日の履歴情報に対して、その前後の位置データを抽出する。
（５）（４）の抽出された位置データの時系列が、複数日に渡り存在するかどうか、履歴情報を分析する。分析する上で、位置データ（点）に対して、所定の領域（例えば、半径ｘメートルなどの円領域）とし、領域の重なりとしての類似性を分析する。類似性の算出方法は一般的な方法で良く、対象の複数の領域の積（重なり）の面積と、対象の複数の領域の和の面積の比が、所定閾値よりも大きい場合、類似していると判断する。
（６）複数日に渡り、類似した時系列データが存在する場合、その領域を、当初の領域に追加する。
（７）領域を追加する際、ユーザに一旦提示すると共に、ユーザが手動で修正することも可能とする。
【００６６】
なお、事前にユーザが場所アイコンを選択する手順とせず、システムが履歴情報に基づき、自動的に領域を抽出した後、その領域にどの場所アイコンを設定するか、ユーザに選択させる手順としてもよい。さらに、通信端末装置１００は、システムが自動的に抽出した領域の中で、他のメンバーと共有する領域と、共有しない領域とを、ユーザが設定する機能も備えることが好ましい。
【００６７】
（周辺領域の設定例）
図１３は、場所アイコンの周辺領域を示す模式図である。まず、ＧＰＳ機能によって取得できたユーザの位置と、上記で設定した「場所アイコン」に対する領域とを対比して、ユーザの位置が最も近い領域の「場所アイコン」を抽出する。次に、「人アイコン」を上記で抽出した「場所アイコン」周辺に配置する際、図１３に示すように、グラフィカルユーザインタフェース上の場所アイコンを中心とする円領域内の任意の位置に配置する。
【００６８】
この円領域内の位置は、完全にランダムに決定してもよいし、同場所に訪れる度に前回までとは異なる位置にしてもよい。事前設定の抽象度が「小」の場合は、前回からの変化量を小さく、「大」の場合は、変化量を大きくする。
【符号の説明】
【００６９】
１０  システム
１００  通信端末装置
１１０  位置情報取得部
１２０  記憶部
１３０  抽象化部
１４０  情報送信部
１５０  操作受付部
１６０  表示部
１７０  情報受信部
２００  サーバ
２００  管理サーバ
３００  通信端末装置（他メンバーの装置）
Ｒ  領域
【図１】
0006517038.tif 000002
【図２】
0006517038.tif 000003
【図３】
0006517038.tif 000004
【図４】
0006517038.tif 000005
【図５】
0006517038.tif 000006
【図６】
0006517038.tif 000007
【図７】
0006517038.tif 000008
【図８】
0006517038.tif 000009
【図９】
0006517038.tif 000010
【図１０】
0006517038.tif 000011
【図１１】
0006517038.tif 000012
【図１２】
0006517038.tif 000013
【図１３】
0006517038.tif 000014